(57)【要約】【課題】  従来、洗面所の便器周り、台所の水周り、風呂場の脱衣所及び玄関の入口の汚れ防止及び水分吸収を目的とした敷物類としては、布製のカーペット類が多用されているが、保水性に限界があり、かつ洗濯に手間がかかるため交換間隔が長く、不衛生な状況であった。【解決手段】  本発明は、上記の課題を解決するために考案したもので、吸水性ポリマーを混入させたシートの裏面に溶剤を使用しない再剥離タイプの粘着剤を塗布し、剥離紙を貼付したものです。【選択図】図１
2013165941.tif 000002
【特許請求の範囲】
【請求項１】
洗面所の便器周り、台所の水周り、風呂場の脱衣所及び玄関の入口の汚れ防止及び水分吸収を目的とした敷物類において、従来は布製のカーペット類が多用されているが、吸水効率を上げるために、吸水性ポリマーを混入させたシートの裏面に溶剤を使用しない再剥離タイプの粘着剤を塗布し、剥離紙を貼付しことを特徴とする汚れ防止用吸水性ポリーマーシートマット。
【請求項２】
請求項１の汚れ防止用吸水性ポリーマーシートマットにおいて、吸水性ポリマーシート層＋再剥離タイプの粘着剤＋吸水性ポリマーシート層＋再剥離タイプの粘着剤＋吸水性ポリマーシート層＋再剥離タイプの粘着＋剥離紙のように何層にも積層することを特徴とする汚れ防止用吸水性ポリーマーシートマット。
【発明の詳細な説明】
【技術分野】
【０００１】  この発明は洗面所の便器周り、台所の水周り、風呂場の脱衣所及び玄関の入口の汚れ防止及び水分吸収を目的とした敷物類に関するものである。
【背景技術】
【０００２】  従来この種の敷物類としては、布製のカーペット類が多用されているが、保水性に限界があり、かつ洗濯に手間がかかるため交換間隔が長く、不衛生な状況であった。
【発明の開示】
【発明が解決しようとする課題】
【０００３】  従って、吸水効率が高く、かつ容易に交換ができて衛生管理上便利な敷物類が必要である。特に男子の小便器の周りに尿水が飛び散る場合が多い。最近高齢者が増加していることから、病院、駅及び公園等の公衆トイレが激しく汚れる傾向にある。また、家庭用のトイレにおいても、洋式トイレや段付き和式トイレで男子が小用を足すときに便器の周りに目に見えなくともわずかに尿水の飛沫が飛び散る場合が多い。
台所の水周りについても、調理や食器洗浄時に水が飛び散り足元がべたべたになる場合が多い。
風呂場の脱衣所においても風呂上りに濡れた身体から垂れる水分で床がぬれたり、洗濯機を使った水仕事で水や石鹸水の飛沫が飛び散る場合が多い。
玄関の入口では、雨の日に外から帰ってきたり、泥道を歩いてきた場合等において、雨水や泥等が飛散する場合が多い。
【課題を解決するための手段】
【０００４】  本発明は、上記の課題を解決するために考案したもので、吸水性ポリマーを混入させたシートの裏面に溶剤を使用しない再剥離タイプの粘着剤を塗布し、剥離紙を貼付したものです。
本発明の汚れ防止用吸水性ポリマーシートマットを使用する場合は、剥離紙を剥がして、再剥離タイプの粘着剤で洗面所の便器周り、台所の水周り、風呂場の脱衣所及び玄関の入口の床に貼り付ける。
さらに、交換時の簡便性を向上させるために、吸水性ポリマーシート層＋再剥離タイプの粘着剤＋吸水性ポリマーシート層＋再剥離タイプの粘着剤＋吸水性ポリマーシート層＋再剥離タイプの粘着＋剥離紙のように何層にも積層するものです。
【発明の効果】
【０００５】  本発明により、吸水効率を高め、容易に交換ができて衛生管理に役立つため、清潔感を維持し、人に不快感を与えないよう常によりよい環境を整備することができる。また、シートの裏面にエマルジョンやホットメルト等天然性かつ無溶剤の再剥離タイプの粘着剤を塗布することから、一般の燃えるゴミとして処分することができるため、エコ活動にもつながるものである。
【発明を実施するための最良の形態】
【０００６】  以下、本発明の汚れ防止用吸水性ポリマーシートマットにおける最良の形態について、図面を参照して説明する。
【実施例１】
【０００７】図１は、小便器用の汚れ防止用吸水性ポリマーシートマットの一例を示す斜視図である。１は吸水性ポリマーシート層、２は再剥離タイプの粘着剤、３は剥離紙を示す。それぞれの用途によりその大きさや形状が異なるため、各種形状を用意すると共に、剥離紙の表面に格子状の目盛りを印刷して使用者が自由に切り取って使用することも考えられる。図面上は見やすくするために、吸水性ポリマーシート層、再剥離タイプの粘着剤及び剥離紙の厚さを誇張して厚く描いているが、通常のそれぞれの厚さは、吸水性ポリマーシート層は１ｍｍ以下、再剥離タイプの粘着剤は数十ミクロン以下、剥離紙は０．１ｍｍ以下である。なお、図１の再剥離タイプの粘着剤２及び剥離紙３は、吸水性ポリマーシート層１の下面の全面に塗布又は貼付した実施例を示しているが、状況により部分的に塗布又は貼付する場合もある。また、吸水性ポリマーシート層の表面に、キャラクターや子供や女性が好みそうなデザインを施すことにより、より商品化を高めることができる。
【実施例２】
【０００８】図２は、２種類の小便器に汚れ防止用吸水性ポリマーシートマットを使用した状況を示す説明図である。１は吸水性ポリマーシート層、２は再剥離タイプの粘着剤、４は便器を示す。
【実施例３】
【０００９】図３は、洋式トイレ用便器や段付き和式トイレ用便器に汚れ防止用吸水性ポリマーシートマットを使用した状況を示す説明図である。１は吸水性ポリマーシート層、２は再剥離タイプの粘着剤、４は便器を示す。
【実施例４】
【００１０】図４は、台所の水周り、風呂場の脱衣所及び玄関の入口用の汚れ防止用吸水性ポリマーシートマットの一例を示す斜視図である。１は吸水性ポリマーシート層、２は再剥離タイプの粘着剤、３は剥離紙を示す。それぞれの用途によりその大きさや形状が異なるため、各種形状を用意すると共に、剥離紙の表面に格子状の目盛りを印刷して使用者が自由に切り取って使用することも考えられる。厚さについては、前述したとおり、吸水性ポリマーシート層は１ｍｍ以下、再剥離タイプの粘着剤は数十ミクロン以下、剥離紙は０．１ｍｍ以下である。なお、図４の再剥離タイプの粘着剤２及び剥離紙３は、吸水性ポリマーシート層１の下面の全面に塗布又は貼付した実施例を示しているが、状況により部分的に塗布又は貼付する場合もある。また、吸水性ポリマーシート層の表面に、キャラクターや子供や女性が好みそうなデザインを施すことにより、より商品化を高めることができる。
【実施例５】
【００１１】図５は、吸水性ポリマーシート層＋再剥離タイプの粘着剤＋吸水性ポリマーシート層＋再剥離タイプの粘着剤＋吸水性ポリマーシート層＋再剥離タイプの粘着＋剥離紙のように何層にも積層した汚れ防止用吸水性ポリマーシートマットの一例を示す斜視図である。１は吸水性ポリマーシート層、２は再剥離タイプの粘着剤、３は剥離紙を示す。こうすることにより、交換する際に新しい汚れ防止用吸水性ポリマーシートマットをいちいち張り替えずに、吸水性ポリマーシート層を一層づつ剥がすことによって、簡便に清潔な吸水性ポリマーシート層にすることができる。
【産業上の利用可能性】
【００１２】  本発明の汚れ防止用吸水性ポリマーシートマットは、簡便に交換でき、清潔感を維持し、人に不快感を与えないよう常によりよい環境を整備することができ、衛生管理に役立ったと共に、エコ活動にも役立つことから、顧客満足度が高まり、市場の要求が高まることが予想されるため、産業上の利用可能性が極めて高いものである。
【図面の簡単な説明】
【図１】  小便器用の汚れ防止用吸水性ポリマーシートマットの一例を示す斜視図である。
【図２】  ２種類の小便器に汚れ防止用吸水性ポリマーシートマットを使用した状況を示す説明図である。
【図３】  洋式トイレ用便器や段付き和式トイレ用便器に汚れ防止用吸水性ポリマーシートマットを使用した状況を示す説明図である。
【図４】  台所の水周り、風呂場の脱衣所及び玄関の入口用の汚れ防止用吸水性ポリマーシートマットの一例を示す斜視図である。
【図５】  吸水性ポリマーシート層＋再剥離タイプの粘着剤＋吸水性ポリマーシート層＋再剥離タイプの粘着剤＋吸水性ポリマーシート層＋再剥離タイプの粘着＋剥離紙のように何層にも積層した汚れ防止用吸水性ポリマーシートマットの一例を示す斜視図である。
【符号の説明】  １；吸水性ポリマーシート層
２；再剥離タイプの粘着剤
３；剥離紙
４；便器
【図１】
2013165941.tif 000003
【図２】
2013165941.tif 000004
【図３】
2013165941.tif 000005
【図４】
2013165941.tif 000006
【図５】
2013165941.tif 000007